(57)【要約】  【課題】  簡便な操作が望まれている、ディジタルカメラなどの撮像装置の形状（または形態）に応じて、必要な素子が露出され、あるいは、露出されずに保護または誤動作を起こさない撮像装置を提供する。  【解決手段】  ディジタルカメラ本体１０に対する表カバー２０の位置に応じて使用する素子、撮影レンズ１１を含む撮影用素子群またはコネクタ用レセプタクル５１を含む非撮影動作用素子群が露出したり表カバー２０によって覆われる。裏カバー３０は表カバー２０の逆向きにスライドさせることができ、表カバー２０によって規定される操作の補助操作を行うことができる。【選択図】    図１
2005345576.tif 000002
【特許請求の範囲】
【請求項１】
被写体を撮影し画像データを生成する本体と、
前記本体の一方の側に設けられた少なくとも撮影レンズを含む撮影用部材と、
前記撮影レンズと同じ側に設けられた非撮影用部材と、
前記本体に対して移動可能な第１のスライドカバーと、を備え、
前記第１のスライドカバーは、前記撮影用部材及び前記非撮影用部材を共に覆う位置、
前記撮影用部材を覆い且つ前記非撮影用部材を露出する位置、及び、前記撮影用部材を露出し且つ前記非撮影用部材を覆う位置の３位置に移動可能である撮像装置。
【請求項２】
請求項１に記載の撮像装置において、
前記非撮影用部材は、外部からの画像データを入力する入力端子、外部への画像データを出力する出力端子、画像データを記録する記録媒体の装着口部、前記撮像装置を駆動するバッテリの装着口部、外部からの電力の供給を受ける電源端子、及び、外部機器と通信を行うコネクタの少なくとも一つを含むことを特徴とする撮像装置。
【請求項３】
請求項１又は請求項２に記載の撮像装置において、
前記撮影用部材は、閃光部材、光学ファインダ用開口部、測光センサ、測距センサ、セルフタイマー用の表示素子、操作者撮影用の反射鏡部材、及び、外部撮影補助装置と通信を行うコネクタの少なくとも一つを更に含むことを特徴とする撮像装置。
【請求項４】
請求項１乃至請求項３のいずれかに記載の撮像装置において、
前記本体は略直方体の形状を有し
前記撮影用部材は、前記略直方体の所定の面であって長辺を二分する一方の面部分側に配置され、且つ、前記非撮影用部材は、前記所定面であって他方の面部分側に配置されたことを特徴とする撮像装置。
【請求項５】
請求項１乃至請求項４のいずれかに記載の撮像装置において、
前記本体を挟んで前記第１のスライドカバーと対向する側に配置された移動可能な第２のスライドカバーと、
前記第２のスライドカバーに配置された表示手段と、を更に備えたことを特徴とする撮像装置。
【請求項６】
請求項５に記載の撮像装置において、
前記第１のスライドカバーと前記第２のスライドカバーとが前記本体に対して共に連動して移動可能とすることを特徴とする撮像装置。
【請求項７】
請求項６に記載の撮像装置において、
前記第１のスライドカバーと前記第２のスライドカバーとが前記本体に対し常に同方向にスライド移動可能とすることを特徴とする撮像装置。
【請求項８】
請求項６に記載の撮像装置において、
前記第１のスライドカバーと前記第２のスライドカバーとが前記本体に対し常に反対方向にスライド移動可能とすることを特徴とする撮像装置。
【請求項９】
請求項７に記載の撮像装置において、
前記所定の面と対向する側であって且つ前記非撮影用部材が配置された位置と略対向する位置に配置された、撮影補助部材と、
前記所定の面と対向する側であって且つ前記撮影用部材が配置された位置と略対向する位置に配置された、第２の非撮影用部材と、を備えたこと特徴とする撮像装置。
【請求項１０】
請求項８に記載の撮像装置において、
前記所定の面と対向する側であって且つ前記非撮影用部材が配置された位置と略対向する位置に配置された、第２の非撮影用部材と、
前記所定の面と対向する側であって且つ前記撮影用部材が配置された位置と略対向する位置に配置された、撮影補助部材と、を備えたことを特徴とする撮像装置。
【請求項１１】
請求項９又は請求項１０に記載の撮像装置において、
前記第２の非撮影用部材は、外部からの画像データを入力する入力端子、外部への画像データを出力する出力端子、画像データを記録する記録媒体の装着口部、前記撮像装置を駆動するバッテリの装着口部、外部からの電力の供給を受ける電源端子、及び、外部機器と通信を行うコネクタの少なくとも一つを含み、
前記撮影補助部材は、ズーム操作部材、各種撮影モード乃至各種撮影設定の操作部材、及び、シャッタ部材の少なくとも一つを含むことを特徴とする撮像装置。
【請求項１２】
請求項１乃至請求項１１のいずれかに記載の撮像装置において、
前記第１のスライドカバーが前記撮影用部材及び前記非撮影用部材を共に覆う位置にあるとき本体の電源をオフ状態にし、前記第１のスライドカバーが前記撮影用部材を覆い且つ前記非撮影用部材を露出する位置にあるとき再生又は編集のモードに遷移し、前記第１のスライドカバーが前記撮影用部材を露出し且つ前記非撮影用部材を覆う位置にあるとき撮影のモードに遷移することを特徴とする撮像装置。
【請求項１３】
請求項５乃至請求項１２のいずれかに記載の撮像装置において、
前記第２のスライドカバー上に配置した操作部材を備え、
前記第１のスライドカバーが前記撮影用部材を覆い且つ前記非撮影用部材を露出する位置にあるときと、前記第１のスライドカバーが前記撮影用部材を露出し且つ前記非撮影用部材を覆う位置にあるときとで、前記操作部材による操作が異なることを特徴とする撮像装置。
【請求項１４】
請求項１３に記載の撮像装置において、
前記第１のスライドカバーが前記撮影用部材を覆い且つ前記非撮影用部材を露出する位置にあるとき、前記操作部材はシャッタスイッチの操作部材となり、前記第１のスライドカバーが前記撮影用部材を露出し且つ前記非撮影用部材とを覆う位置にあるとき、前記操作部材は選択決定スイッチの操作部材となることを特徴とする撮像装置。
【発明の詳細な説明】
【技術分野】
【０００１】
本発明は撮像装置、特に、ディジタルカメラ装置（電子カメラ装置）に関する。
より特定的には、本発明は撮像装置の使用形態に応じて、撮像装置の撮影動作および撮影操作に必要な素子や部材（撮影用部材）や、再生や編集といった撮影以外の動作や操作に必要な部材（非撮影用部材）の配置などに関する。
【背景技術】
【０００２】
撮像装置の１例として、ディジタルカメラを例示する。レンズ、ＣＣＤ、制御回路、ＣＰＵと、メモリ等を有し、複写体をＣＣＤ等で光電変換後、ディジタル信号処理して撮像データを得るディジタルカメラが広く活用されている。
ディジタルカメラの用途が拡大している現在、使用するユーザの年齢の範囲も広がり、高齢者のユーザでも若年者のユーザでも間違いなく操作できるという利便性や、操作の簡便化を図ったいわゆるユニバーサルデザインが求められている。
【０００３】
これら利便性の１技術として、撮影レンズと撮影用操作スイッチなどを保護するため覆うカバーを設け、カバーをスライドさせると撮影レンズ等が露出して撮影可能となる技術が知られている。
【０００４】
また、複数の端子が配設されている領域にスライド可能なカバーが設けられ、そのカバーに端子孔が設けられており、カバーのスライド位置によって端子を選択的に露出させる技術が知られている。
【０００５】
特許文献１は、複数のコネクタが存在する領域全体ではなく、個々の接続コネクタに保護カバーを設けた技術を開示している。
【特許文献１】特開平７−１５４５１６号公報
【発明の開示】
【発明が解決しようとする課題】
【０００６】
従来方法は、ディジタルカメラの使用範囲の拡大に伴って、依然として、利便性、使い勝手の面で改善する余地がある。
【０００７】
本発明の目的は、ディジタルカメラなどの簡便な操作が望まれている撮像装置の動作や操作に応じて、必要な部材が露出し、不必要な部材を露出せずにすることにより操作性の向上や誤動作等を防止する撮像装置を提供することにある。
【０００８】
本発明によれば、被写体を撮影し画像データを生成する本体と、前記本体の一方の側に設けられた少なくとも撮影レンズを含む撮影用部材と、前記撮影レンズと同じ側に設けられた非撮影用部材と、前記本体に対して移動可能な第１のスライドカバーと、を備え、前記第１のスライドカバーは、前記撮影用部材及び前記非撮影用部材を共に覆う位置、前記撮影用部材を覆い且つ前記非撮影用部材を露出する位置、及び、前記撮影用部材を露出し且つ前記非撮影用部材を覆う位置の３位置に移動可能である撮像装置が提供される。
好ましくは、前記非撮影用部材は、外部からの画像データを入力する入力端子、外部への画像データを出力する出力端子、画像データを記録する記録媒体の装着口部、前記撮像装置を駆動するバッテリの装着口部、外部からの電力の供給を受ける電源端子、及び、外部機器と通信を行うコネクタの少なくとも一つを含むことを特徴とする。
【０００９】
また好ましくは、前記撮影用部材は、閃光部材、光学ファインダ用開口部、測光センサ、測距センサ、セルフタイマー用の表示素子、操作者撮影用の反射鏡部材、及び、外部撮影補助装置と通信を行うコネクタの少なくとも一つを更に含むことを特徴とする。
さらに好ましくは、前記本体は略直方体の形状を有し前記撮影用部材は、前記略直方体の所定の面であって長辺を二分する一方の面部分側に配置され、且つ、前記非撮影用部材は、前記所定面であって他方の面部分側に配置されたことを特徴とする。
【００１０】
好ましくは、前記本体を挟んで前記第１のスライドカバーと対向する側に配置された移動可能な第２のスライドカバーと、前記第２のスライドカバーに配置された表示手段と、を更に備えたことを特徴とする。
また好ましくは、前記第１のスライドカバーと前記第２のスライドカバーとが前記本体に対して共に連動して移動可能とすることを特徴とする。
【００１１】
さらに好ましくは、前記第１のスライドカバーと前記第２のスライドカバーとが前記本体に対し常に同方向にスライド移動可能とすることを特徴とする。
また好ましくは、前記第１のスライドカバーと前記第２のスライドカバーとが前記本体に対し常に反対方向にスライド移動可能とすることを特徴とする。
【００１２】
また好ましくは、前記所定の面と対向する側であって且つ前記非撮影用部材が配置された位置と略対向する位置に配置された、撮影補助部材と、前記所定の面と対向する側であって且つ前記撮影用部材が配置された位置と略対向する位置に配置された、第２の非撮影用部材と、を備えたこと特徴とする。
さらに好ましくは、前記所定の面と対向する側であって且つ前記非撮影用部材が配置された位置と略対向する位置に配置された、第２の非撮影用部材と、前記所定の面と対向する側であって且つ前記撮影用部材が配置された位置と略対向する位置に配置された、撮影補助部材と、を備えたことを特徴とする。
【００１３】
好ましくは、前記第２の非撮影用部材は、外部からの画像データを入力する入力端子、外部への画像データを出力する出力端子、画像データを記録する記録媒体の装着口部、前記撮像装置を駆動するバッテリの装着口部、外部からの電力の供給を受ける電源端子、及び、外部機器と通信を行うコネクタの少なくとも一つを含み、
前記撮影補助部材は、ズーム操作部材、各種撮影モード乃至各種撮影設定の操作部材、及び、シャッタ部材の少なくとも一つを含むことを特徴とする。
また、好ましくは、前記第１のスライドカバーが前記撮影用部材及び前記非撮影用部材を共に覆う位置にあるとき本体の電源をオフ状態にし、前記第１のスライドカバーが前記撮影用部材を覆い且つ前記非撮影用部材を露出する位置にあるとき再生又は編集のモードに遷移し、前記第１のスライドカバーが前記撮影用部材を露出し且つ前記非撮影用部材を覆う位置にあるとき撮影のモードに遷移することを特徴とする。
【００１４】
さらに好ましくは、前記第２のスライドカバー上に配置した操作部材を備え、前記第１のスライドカバーが前記撮影用部材を覆い且つ前記非撮影用部材を露出する位置にあるときと、前記第１のスライドカバーが前記撮影用部材を露出し且つ前記非撮影用部材を覆う位置にあるときとで、前記操作部材による操作が異なることを特徴とする。
また好ましくは、前記第１のスライドカバーが前記撮影用部材を覆い且つ前記非撮影用部材を露出する位置にあるとき、前記操作部材はシャッタスイッチの操作部材となり、前記第１のスライドカバーが前記撮影用部材を露出し且つ前記非撮影用部材とを覆う位置にあるとき、前記操作部材は選択決定スイッチの操作部材となることを特徴とする。
【発明の効果】
【００１５】
本発明の撮像装置によれば、従来にない操作性を得ることが出来る。
【発明を実施するための最良の形態】
【００１６】
図１〜図３を参照して本発明の撮像装置の実施の形態としてのディジタルカメラについて述べる。
図１（Ａ）〜（Ｄ）は、本発明の実施の形態のディジタルカメラ１の基本構成を図解する図であり、図１（Ａ）は表カバー２０側から見たディジタルカメラ１の正面図であり、図１（Ｂ）は図１（Ａ）において表カバー２０を取り外した時のディジタルカメラ本体１０の正面図であり、図１（Ｃ）は裏カバー３０側から見たディジタルカメラ１の裏面図であり、図１（Ｄ）は図１（Ｃ）において裏カバー３０を取り外した時のディジタルカメラ本体１０の裏面図である。
【００１７】
ディジタルカメラ１は、ディジタルカメラ本体１０と、ディジタルカメラ本体１０の正面側に上下にスライド（摺動）可能に配設された表カバー２０と、ディジタルカメラ本体１０の裏面側に上下にスライド可能に配設された裏カバー３０とを有する。
【００１８】
図１（Ｃ）、図２（Ａ）に図解したように、ディジタルカメラ本体１０の正面には撮影用部材による撮影レンズ１１と、測距センサ１２とストロボ１３とが配設されている。
図１（Ｃ）に図解したように、裏カバー３０には液晶表示器（ＬＣＤ）３１とシャッタ３２とが搭載されている。
【００１９】
ディジタルカメラ本体１０には図示しない、撮影レンズ１１の撮像結果を電気信号に変換する撮像デバイス、撮像デバイスの結果を信号処理したり、撮影レンズ１１の自動焦点距離制御を行ったり、自動照度制御を行うなどの各種制御処理を行う、ディジタルカメラ信号処理系が搭載されている。
液晶表示器（ＬＣＤ）３１には、ディジタルカメラ本体１０の正面側に設けられた撮影レンズ１１で撮像した映像がリアルタイム等で表示され、希望する映像が撮像されているとき、シャッタ３２を押すことにより、希望する映像が得られる。
なお、シャッタ３２は２段スイッチであり、ディジタルカメラ信号処理系の制御のもとで、１段押し状態で映像をロックし、ロックした映像が液晶表示装置３１に表示され２段押しの状態で撮像される。
【００２０】
表カバー２０をディジタルカメラ本体１０から取り外した状態を図解した図１（Ｂ）に示したように、ディジタルカメラ本体１０の正面側には、ディジタルカメラ本体１０の上部に撮影用部材による撮影レンズ１１、測距センサ１２、ストロボ１３など撮影に必要な素子が配設されている。他方、ディジタルカメラ本体１０の下部には撮影には使用しないが、外部機器と接続して、外部機器にディジタルカメラ１の撮像結果を再生させたり、複写させるために使用するコネクタ用レセプタクル５１、充電のための電源プラグ挿入口５２などの接続端子と、ディジタルカメラ１で撮像した映像データを記録するカード型メモリを装着するメモリ装着部５３等の非撮影用部材が配設されている。
この撮影用部材と非撮影用部材とは、略直方体のディジタルカメラ本体１０の所定の面である正面側であって、図１、図２において、上下方向たるディジタルカメラ本体１０の長辺を２分する、つまり、図１（Ｂ）において、上下を２分する分割した面にそれぞれ配置されている。
【００２１】
図１（Ｂ）の図解のように、標準レンズ１１、測距センサ１２、ストロボ１３など撮影に使用する部材と（以下、撮影用部材）と、撮影には使用せず、再生や編集作業など撮影しないときにディジタルカメラ１を使用する接続端子、カード型メモリを脱着するときに巣用するメモリ装着部５３と（以下、非撮影用部材）は、ディジタルカメラ本体１０の上下に対向して配設されている。
しかも、撮影用部材は図２（Ａ）に図解したように、表カバー２０をディジタルカメラ本体１０に対して下方にスライドさせると露出するディジタルカメラ本体１０の上方の位置に配設されている。一方、非撮影用部材は図３（Ａ）に図解したように、表カバー２０をディジタルカメラ本体１０に対して上方にスライドさせると露出するディジタルカメラ本体１０の上方の位置に配設されている。
【００２２】
なお、撮影用部材も非撮影用部材もディジタルカメラ本体１０の同じ側、すなわち、正面側に配設されている。
【００２３】
裏カバー３０をディジタルカメラ本体１０から取り外した図１（Ｄ）に図解したように、ディジタルカメラ本体１０の裏面の下部には、図２（Ｂ）に図解したように、ディジタルカメラ１を用いて撮影するときに、シャッタ３２の他に補助的な操作、たとえば、ズーム処理などを操作するための補助スイッチ１４１〜１４３からなる撮影補助部材１４が配設されうる。
他方、ディジタルカメラ本体１０の上部には、図３（Ｂ）に図解したように、非撮影用部材を用いて再生や編集処理などの非撮影操作を行うときに使用したり、非撮影用部材を用いずにそれ単独で使用する補助スイッチ１〜１５６からなる第２の非撮影用部材１５が配設されている。
撮影補助部材１４および／または、第２の非撮影用部材１５は実施の形態のディジタルカメラ１において必須ではないが、好適実施の形態として設けた場合を述べている。
尚、上記の撮影補助部材はあくまで例示であって、ズーム操作部材や、連写撮影やセルフタイマー撮影の各種撮影モードを選択又は決定する操作部材、撮影画像の解像度や露出等をマニュアルに設定する等の各種撮影条件の設定等を行う操作部材を含んでもよい。また図１（Ｃ）に示す裏カバー３０上に配置されたシャッタをこの撮影部材として図１（Ｄ）の上側領域に配置してもよい。
また、上記の第２の非撮影用部材はあくまでも例示であって、外部からの画像を入力する入力端子、外部への画像データを出力する出力端子、画像データを記録する記録媒体の装着のディジタルカメラ本体１０を駆動するバッテリの装着口部等外部からの電力の供給を受ける電源端子、パソコンやクレードル、ＶＴＲ、携帯電話等の外部機器と通信を行うコネクタ等であってもよい。
また、上記の各部材は非撮影用部材又は第２の非撮影用部材のいずれか一方としてディジタルカメラ本体１０に配置されてもよい。
【００２４】
図１（Ａ）はディジタルカメラ１を使用しない状態、すなわち、表カバー２０がディジタルカメラ本体１０の中央の「第１の位置」に位置している状態にある場合を図解している。
この状態においては、撮影レンズ１１も測距センサ１２もストロボ１３も表カバー２０で覆われて外部に露出せず、当然、撮影には使用できないが、外部からの外力に対して保護されており、たとえば、撮影レンズ１１が傷つくようなことはないし、誤動作もおきない。同様に、コネクタ用レセプタクル５１、電源プラグ挿入口５２、メモリ装着部５３の部分も表カバー２０によって覆われており、保護されるとともに、誤動作することがない。
この状態においては、裏カバー３０も表カバー２０と同様、ディジタルカメラ本体１０に対して第１の位置に位置している。したがって、撮影補助部材１４も、第２の非撮影操作用部材１５も裏カバー３０で覆われている。
図１（Ａ）、（Ｂ）に図解して状態においては、ディジタルカメラ本体１０内のディジタルカメラ信号処理系などにバッテリから給電が行われず、バッテリの電力消費はない。この場合一部の回路やＣＰＵのみを通電しておいてもよいことはいうまでもない。
【００２５】
図２（Ａ）は表カバー２０をディジタルカメラ本体１０に対して下方にスライドさせて（第２の位置に位置させ）、撮影レンズ１１，測距センサ１２、ストロボ１３を露出させて撮影可能な状態を示している。
この撮影状態においては使用しない非撮影用部材、すなわち、コネクタ用レセプタクル５１、電源プラグ挿入口５２、メモリ装着部５３などは表カバー２０で覆われている。
また、この図（Ａ）、（Ｂ）は通常の撮影時のディジタルカメラ本体１０の操作者に対する向きをも示しており、一般的なカメラと異なり縦方向でもっぱら使用するように各種部材が配置されている。また、左ききの方でも右ききの方でも使用できるように、つまりユニバーサルデザインとすべく、撮影レンズ１１やシャッタ３２、更には液晶表示器３１は、ディジタルカメラ本体１０の左右方向の略中央位置に配置されている。
【００２６】
図２（Ａ）の状態において、撮影は図１（Ｃ）に図解した状態、すなわち、裏カバー３０を第１の位置に位置させて状態においても、液晶表示器（ＬＣＤ）３１を見ながら、シャッタ３２を操作することができる。したがって、通常は、図１（Ｃ）の状態で撮影を行うことができる。
しかしながら、撮影において、たとえば、ズーム処理をしたいときか特別の操作を付加するとき、ユーザは図２（Ｂ）に図解したように、裏カバー３０をディジタルカメラ本体１０に対して上方にスライドさせて撮影補助部材１４を露出させ、補助スイッチ１４１〜１４３などを操作することができる。もちろん、撮影補助部材１４の入力はディジタルカメラ本体１０内の図示しないディジタルカメラ信号処理系回路やＣＰＵに入力されてユーザの希望する処理に使用される。
図２（Ａ）、（Ｂ）の状態では、撮影に使用しないコネクタ用レセプタクル５１、電源プラグ挿入口５２、メモリ装着部５３などの非撮影用部材は表カバー２０で覆われ、第２の非撮影用部材１５は裏カバー３０で覆われている。
【００２７】
図３（Ａ）は表カバー２０をディジタルカメラ本体１０に対して上方にスライドさせて（第２の位置に位置させ）、撮影用部材たる撮影レンズ１１，測距センサ１２、ストロボ１３を覆い、コネクタ用レセプタクル５１、電源プラグ挿入口５２、メモリ装着部５３など非撮影用部材を露出させて使用可能にしている。
なお、必要に応じて、図３（Ｂ）に図解したように、裏カバー３０をディジタルカメラ本体１０に対して下方にスライドさせて第２の非撮影用部材１５を露出させて非撮影のための補助操作に使用することができる。
もちろん、図３（Ａ）、（Ｂ）に図解の状態では、撮影用部材である撮影レンズ１１、測距センサ１２、ストロボ１３などは表カバー２０に覆われており、ズーム処理等に用いる補助スイッチ１４１〜１４３たる撮影補助部材１４は裏カバー３０で覆われている。
【００２８】
以上述べたように、本実施の形態においては、非撮影用部材と撮影用部材のように、同時には使用しない部材をディジタルカメラ本体１０の同じ側に設け、表カバー２０の位置をずらすことにより、下記のモードでの活用が可能となる。
【００２９】
（ａ）図１（Ａ）に図解したように、ディジタルカメラ本体１０に対する表カバー２０が第１の位置に位置するときは、ディジタルカメラ１の不使用状態を示すとともに、ディジタルカメラ本体１０の電源をオフ状態とし、しかも、撮影用部材及び非撮影用部材を露出させずに表カバーを覆っているオフモードである。ディジタルカメラ本体１０は表カバー２０の位置を図示しないＳＷ等により検知する電源投入状態から表カバー２０が図（Ａ）の第１の位置へ移動したことを上記ＳＷ等で検知し、自動的に不必要な回路への電源供給を図示しないスイッチ部材等により停止を行う。
【００３０】
（ｂ）図２（Ａ）に図解したように、ディジタルカメラ本体１０に対する表カバー２０が第２の位置に位置するときは、ディジタルカメラ本体１０の正面側において撮影レンズ１１、測距センサ１２、ストロボ１３を使用可能とし、ディジタルカメラ本体１０の裏面から液晶表示器（ＬＣＤ）３１、シャッタ３２を用いて撮影するモードである。ディジタルカメラ本体１０は前記した図示しないＳＷ等で表カバー２０が第２の位置へ移動したことを検知し、撮影動作に必要な回路に電源を投入すると共にディジタルカメラ本体１０のモードを自動的に撮影モードに遷移させる。
尚、この撮影モードでは、裏カバー３０上に配置したシャッタボタン３２は撮影用のシャッタ操作に用いられる。
【００３１】
（ｃ）図３（Ａ）に図解したように、ディジタルカメラ本体１０に対する表カバー２０が第３の位置に位置するときは、ディジタルカメラ本体１０の正面側においてコネクタ用レセプタクル５１、電源プラグ挿入口５２などの非撮影用部材を使用可能とし、再生、編集などを可能とするモードである。ディジタルカメラ本体１０は前記した図示しないＳＷ等で表カバー２０が第３の位置へ移動したことを検知し、再生や編集等に必要な回路に電源を投入すると共に、ディジタルカメラ本体１０のモードを再生または編集等のモードに遷移させる。
尚、この再生等のモードでは、裏カバー３０上に配置したシャッタボタン３２は、その用途が撮影モードとは異なり再生や編集モード２５の条件選択した条件等の決定キーの動作を行わせている。
【００３２】
さらに本実施の形態においては、裏カバー３０の位置を、表カバー２０と逆向きにスライドさせることにより、図２（Ｂ）および図３（Ｂ）に図解したモードでの使用が可能となる。
【００３３】
ディジタルカメラ本体１０の正面に配設する撮影用部材としての撮影レンズ１１、測距センサ１２、閃光部材たるストロボ１３は例示であり、他に光学ファインダ用開口部、側光センサ、セルフタイマー撮影用の表示素子、操作者による自分撮影用の反射鏡部材（自分写しミラー）、外部ストロボや外部露出センサ等の外部撮影補助装置と通信等を行うコネクタなどであってもよい。同様に、ディジタルカメラ本体１０の正面に配設する非撮影用部材としてのコネクタ用レセプタクル５１、充電のための電源プラグ挿入口５２、メモリ装着部５３などは例示であり、外部からの画像データを入力する入力端子、外部への画像データを出力する出力端子、画像データを記録する各種記録媒体の装着口部、ディジタルカメラ本体１０を駆動するバッテリの装着口部、外部から電力の供給を受ける電源端子、パソコンやクレードル更にはＶＴＲ、携帯電話等の外部機器と通信を行うコネクタ等などであってもよい。
【００３４】
上記した実施の形態では、表カバー２０と裏カバー３０とは共に別々に操作者の手動操作により移動可能としたが、ディジタルカメラ本体１０内部にて図示しない連結部材により表カバー２０と裏カバー３０とを連絡することにより、表カバー２０と裏カバー３０とがディジタルカメラ本体１０に対して連動且つ同方向に移動自在に構成してもよい。
尚この場合は図２、図３とは異なり表カバー２０に対し裏カバー３０が同方向に移動するため、図１（Ｄ）における撮影補助部材１４と第２の非撮影用部材１５の配置位置を入れ換えることが必要となる。このように構成することで、表カバー２０を移動すると裏カバー３０がそれに応じて必要な部材を露出する方向に駆動するためより操作性が向上すると共に、より誤操作をなくすことが出来る。
また、別の実施の形態として、図示しない表カバー２０と表カバー３０の連結機構をディジタルカメラ本体１０の内部に配置し、操作者の手動による表カバー２０の移動に応じて裏カバー３０を表カバー２０の移動方向とは逆方向に自動的に移動するように構成してもよい。
【００３５】
本発明の撮像装置の実施に際しては上述したディジタルカメラ１を例示した実施の形態に限らず、種々の変形態様をとることができる。
【図面の簡単な説明】
【００３６】
【図１】図１（Ａ）〜（Ｄ）は、本発明の撮像装置の実施の形態のディジタルカメラの基本構成を図解する図であり、図１（Ａ）は表カバー側から見たディジタルカメラの正面図であり、図１（Ｂ）は図１（Ａ）において表カバーを取り外した時のディジタルカメラ本体の正面図であり、図１（Ｃ）は裏カバー側から見たディジタルカメラの裏面図であり、図１（Ｄ）は図１（Ｃ）において裏カバーを取り外した時のディジタルカメラ本体の裏面図である。
【図２】図２（Ａ）は表カバーをディジタルカメラ本体に対して下方にスライドさせて（第２の位置に位置させ）、撮影レンズを含む撮影用素子群を露出させて撮影可能な状態を示す図であり、図２（Ｂ）は裏カバーを表カバーに対応させて逆向きにスライドさせた状態を示す図である。
【図３】図３（Ａ）は表カバーをディジタルカメラ本体に対して上方にスライドさせて（第２の位置に位置させ）、撮影レンズを含む撮影用素子群を覆い、コネクタ用レセプタクルなどの非撮影動作用素子群を露出させて使用可能にしてことを図解した図であり、図３（Ｂ）は裏カバーを表カバーに対応させて逆向きにスライドさせた状態を示す図である。
【００３７】
１…ディジタルカメラ
１０…ディジタルカメラ本体
１１…撮影レンズ、１２…測距センサ、１３…ストロボ
１４…撮影用補助操作スイッチ
１５…非撮影操作用補助スイッチ群
２０…表カバー
３０…裏カバー
３１…液晶表示器（ＬＣＤ）、３２…シャッタボタン
５１…コネクタ用レセプタクル
５２…電源プラグ挿入口
５３…メモリ装着部
【図１】
2005345576.tif 000003
【図２】
2005345576.tif 000004
【図３】
2005345576.tif 000005